(57)【要約】【目的】テキスト・データによって表されるテキストが含まれているウェブ・ページをディジタル・カメラ１の表示画面に表示できるようにする。【構成】カメラ１から変換サーバ２にｈｔｔｐリクエストが送信される。ｈｔｔｐリクエストは，変換サーバ２からウェブ・サーバ４に送信される。ｈｔｔｐリクエストに応答して，ウェブ・サーバ４においてｈｔｔｐレスポンスが生成され，変換サーバ２に送信される。変換サーバ２において，ｈｔｔｐレスポンスによって表されるウェブ・ページの中にテキスト・データによって表されるテキストが画像化される。テキスト・データによって表されるテキストが画像化されたウェブ・ページを表すｈｔｔｐレスポンスが変換サーバ２からディジタル・カメラ１に送信される。テキスト・データによって表されるテキストを表示できないディジタル・カメラであってもウェブ・ページのテキストを見ることができる。【選択図】  図１
2004362363.tif 000002
【特許請求の範囲】
【請求項１】
画像表示制御装置と通信可能な画像サーバにおいて，
上記画像表示装置から送信されたウェブ・ページ・リクエストを受信する受信手段，
上記受信手段によって受信されたウェブ・ページ・リクエストに対応したウェブ・ページに含まれ，かつ，テキスト・データによって表されるテキストが画像化されたウェブ・ページを表す画像データを生成する生成手段，および
上記生成手段によって生成されたウェブ・ページ画像データを上記画像表示制御装置に送信する第１の送信手段，
を備えた画像サーバ。
【請求項２】
上記ウェブ・ページ・リクエストに対応したウェブ・ページに，テキスト・データによって表わされるテキストが含まれているかどうかを判定する第１の判定手段をさらに備え，
上記生成手段は，上記第１の判定手段によって，上記ウェブ・ページに，テキスト・データによって表わされるテキストが含まれていると判定されたことに応じて，上記テキストが画像化されたウェブ・ページを表わす画像データを生成するものである，
請求項１に記載の画像サーバ。
【請求項３】
上記受信手段によって受信したウェブ・ページ・リクエストに対応したウェブ・ページにクリック可能な領域が含まれているかどうかを判定する第２の判定手段をさらに備え，
上記生成手段は，上記第２の判定手段によってクリック可能な領域が含まれていると判定されたことに応じて，上記クリック可能な領域がクリッカブル・マップとして画像化されたウェブ・ページを表す画像データを生成するものである，
請求項１に記載の画像サーバ。
【請求項４】
上記画像サーバが，変換サーバとウェブ・サーバとを含み，
上記変換サーバが，
上記受信手段，上記生成手段および上記第１の送信手段ならびに
上記ウェブ・ページ画像データによって表されるウェブ・ページ画像を構成する素材データのリクエストを上記ウェブ・サーバに送信する第２の送信手段を備え，
上記ウェブ・サーバが，
上記変換サーバの上記第２の送信手段から送信された素材データ・リクエストに応じて素材データを上記ウェブ・ページ変換サーバに送信する第３の送信手段を備え，
上記変換サーバの上記生成手段が，
上記ウェブ・サーバの上記第３の送信手段から送信された素材データを用いて上記ウェブ・ページ画像データを生成するものである，
請求項１に記載の画像サーバ。
【請求項５】
画像表示制御装置と通信可能な画像サーバにおいて，
上記画像表示装置から送信されたウェブ・ページ・リクエストを受信し，
受信したウェブ・ページ・リクエストに対応したウェブ・ページに含まれ，かつ，テキスト・データによって表されるテキストが画像化されたウェブ・ページを表す画像データを生成し，
生成されたウェブ・ページ画像データを上記画像表示制御装置に送信する，
画像サーバの制御方法。
【請求項６】
画像表示制御装置と通信可能な画像サーバを制御するプログラムであって，
上記画像表示装置から送信されたウェブ・ページ・リクエストを受信させ，
受信したウェブ・ページ・リクエストに対応したウェブ・ページに含まれ，かつ，テキスト・データによって表されるテキストが含まれているかどうかを判定させ，
上記ウェブ・ページに，テキスト・データによって表されるテキストが画像化されたウェブ・ページを表す画像データを生成させ，
生成されたウェブ・ページ画像データを上記画像表示制御装置に送信させるように画像サーバを制御するプログラム。
【請求項７】
請求項６に記載のプログラムを格納した記録媒体。
【発明の詳細な説明】
【０００１】
【技術分野】
この発明は，画像サーバおよびその制御方法ならびに画像サーバを制御するプログラムに関する。
【０００２】
【発明の背景】
コンピュータ装置の発展に伴い，パーソナル・コンピュータだけでなく携帯電話，ディジタル・カメラなど様々な装置がインターネットを介してサーバにアクセスできるようになってきている。パーソナル・コンピュータ以外の装置が画像サーバにアクセスできるようになってきたことから，種々の工夫が行われている。例えば，携帯電話に画像情報を提供する場合に，携帯電話の表示画面に合わせて画像データを編集するものがある（例えば，特許文献１参照）。
【０００３】
【特許文献１】
特開２０００−１８８７７６号公報
【０００４】
しかしながら，画像サーバにアクセスする装置のすべてがテキスト・データによって表されるテキストを表示できるとは限らない。画像を表示できてもテキストを表示できない装置が画像サーバにアクセスした場合において画像サーバから装置にテキスト・データが送信された場合には，そのテキスト・データによって表されるテキストが適切に表示できないことがある。
【０００５】
【発明の開示】
この発明は，テキスト・データによって表されるテキストが適切に表示できない装置であってもテキストを比較的適切に表示できるようにすることを目的とする。
【０００６】
この発明は，画像表示制御装置と通信可能な画像サーバにおいて，上記画像表示装置から送信されたウェブ・ページ・リクエストを受信する受信手段，上記受信手段によって受信されたウェブ・ページ・リクエストに対応したウェブ・ページに含まれ，かつ，テキスト・データによって表されるテキストが画像化されたウェブ・ページを表す画像データを生成する生成手段，および上記生成手段によって生成されたウェブ・ページ画像データを上記画像表示制御装置に送信する第１の送信手段を備えていることを特徴とする。
【０００７】
この発明は，上記画像サーバに適した制御方法も提供している。すなわち，この方法は，画像表示制御装置と通信可能な画像サーバにおいて，上記画像表示装置から送信されたウェブ・ページ・リクエストを受信し，受信したウェブ・ページ・リクエストに対応したウェブ・ページに含まれ，かつ，テキスト・データによって表されるテキストが画像化されたウェブ・ページを表す画像データを生成し，生成されたウェブ・ページ画像データを上記画像表示制御装置に送信するものである。
【０００８】
この発明は，上記画像サーバの制御方法に適したプログラムおよびそのようなプログラムが格納された記録媒体も提供している。
【０００９】
この発明によると，画像表示制御装置から画像サーバにウェブ・ページ・リクエストが送信される。ウェブ・ページ・リクエストが画像サーバにおいて受信されると，そのウェブ・ページ・リクエストに対応したウェブ・ページに含まれている，テキストが画像化されたウェブ・ページを表す画像データが生成される。生成されたウェブ・ページ画像データが画像サーバから画像表示装置に送信される。
【００１０】
ウェブ・ページ・リクエスト対応するウェブ・ページに，テキスト・データによって表されるテキストが含まれているときには，そのテキストが画像化されたウェブ・ページ画像データが生成される。画像表示制御装置がテキスト・データによって表されるテキストを表示させることができない場合でも，画像としてテキストを表示させることができる。テキスト・データによって表されるテキストを表示させることができない画像表示制御装置であっても，テキスト・データによって表されるテキストの内容が分かる。
【００１１】
上記ウェブ・ページ・リクエストに対応したウェブ・ページに，テキスト・データによって表わされるテキストが含まれているかどうかを判定する第１の判定手段をさらに備えてもよい。この場合，上記生成手段は，上記第１の判定手段によって，上記ウェブ・ページに，テキスト・データによって表わされるテキストが含まれていると判定されたことに応じて，上記テキストが画像化されたウェブ・ページを表わす画像データを生成するものとなろう。
【００１２】
上記受信手段によって受信したウェブ・ページ・リクエストに対応したウェブ・ページにクリック可能な領域が含まれているかどうかを判定する第２の判定手段をさらに備えるようにしてもよい。この場合，上記生成手段は，上記第２の判定手段によってクリック可能な領域が含まれていると判定されたことに応じて，上記クリック可能な領域がクリッカブル・マップとして画像化されたウェブ・ページを表す画像データを生成するもとなろう。
【００１３】
好ましくは，画像表示制御装置は，表示されたクリッカブル・マップがクリックされたことに応じて，クリックされたことを示すデータを画像サーバに送信する。この場合，クリックされたことを示すデータを画像サーバにおいて受信されたことに応じて，更新したウェブ・ページを表す画像データが生成される。生成された画像データが画像サーバから画像表示制御装置に送信される。
【００１４】
上記画像サーバが，変換サーバとウェブ・サーバとを含むものでもよい。この場合，上記変換サーバは，上記受信手段，上記生成手段および上記第１の送信手段ならびに上記ウェブ・ページ画像データによって表されるウェブ・ページ画像を構成する素材データのリクエストを上記ウェブ・サーバに送信する第２の送信手段を備えるものとなろう。
【００１５】
また，上記ウェブ・サーバは，上記変換サーバの上記第２の送信手段から送信された素材データ・リクエストに応じて素材データを上記ウェブ・ページ変換サーバに送信する第３の送信手段を備えるものとなろう。
【００１６】
さらに，上記変換サーバの上記生成手段は，上記ウェブ・サーバの上記第３の送信手段から送信された素材データを用いて上記ウェブ・ページ画像データを生成するものとなろう。
【００１７】
【実施例の説明】
図１は，この発明の実施例を示すもので，ウェブ・ページ変換システムの概要を示している。
【００１８】
ウェブ・ページ変換システムには，ディジタル・カメラ１，変換サーバ（プロクシ・サーバ）２およびウェブ・サーバ４が含まれている。これらのディジタル・カメラ１，変換サーバ２およびウェブ・サーバ４は，ネットワークに接続されている。
【００１９】
ＣＤ−ＲＯＭ（コンパクト・ディスク・リード・オンリ・メモリ）３には，後述するように変換サーバ２の動作プログラムが格納されている。ＣＤ−ＲＯＭ３が変換サーバ２に装填され，ＣＤ−ＲＯＭ３に格納されている動作プログラムが変換サーバ２にインストールされることにより，後述するように変換サーバ２が動作する。同様に，ＣＤ−ＲＯＭ５にはウェブ・サーバ４の動作プログラムが格納されている。ＣＤ−ＲＯＭ５がウェブ・サーバ４に装填され，ＣＤ−ＲＯＭ５に格納されている動作プログラムがウェブ・サーバ４にインストールされることにより，後述するようにウェブ・サーバ４が動作する。
【００２０】
ディジタル・カメラ１，変換サーバ２およびウェブ・サーバ４には，それぞれネットワークに接続するための通信回路（図示略）が含まれている。また，変換サーバ２およびウェブ・サーバ４には，それぞれＣＰＵ，メモリ，ＣＤ−ＲＯＭドライバ，表示装置，キーボード（いずれも図示略）などが含まれている。
【００２１】
ディジタル・カメラ１には，表示装置（図示略）が含まれている。ディジタル・カメラ１は，画像を表示するための機能は多く持っているが，テキスト・データによって表されるテキストを表示するための機能はない，あるいは少ないことが多い。このために，ウェブ・ページにテキストが含まれている場合には，そのテキストを表示できない場合がある。この実施例においては，テキスト・データによって表されるテキストを画像化することにより，ウェブ・ページに含まれるテキストを表示できるようにするものである。
【００２２】
図２は，ディジタル・カメラ１の処理手順を示すフローチャート，図３は，変換サーバ２の処理手順を示すフローチャート，図４は，ウェブ・サーバ４の処理手順を示すフローチャートである。
【００２３】
以下に述べる処理においては，ディジタル・カメラ１からウェブ・ページを取得するためのｈｔｔｐ（ｈｙｐｅｒ−ｔｅｘｔ  ｔｒａｎｓｆｅｒ  ｐｒｏｔｏｃｏｌ）リクエストが変換サーバ２に送信される。ｈｔｔｐリクエストは変換サーバ２からウェブ・サーバ４に送信され，ウェブ・サーバ４においてｈｔｔｐリクエストに対応したｈｔｔｐレスポンスが生成される。生成されたｈｔｔｐレスポンスがウェブ・サーバ４から変換サーバ２に送信される。変換サーバ２において，ウェブ・サーバ２から送信されたｈｔｔｐレスポンスに含まれるファイルがｈｔｍｌ（ｈｙｐｅｒ−ｔｅｘｔ  ｍａｒｋｕｐ  ｌａｎｇｕａｇｅ）ファイルからウェブ・ページを表す画像ファイルに変換される。変換された画像ファイルが変換サーバ２からディジタル・カメラ１に送信される。テキスト・データによって表されるテキストを表示できないディジタル・カメラであっても，テキストが画像として表示されるのでウェブ・ページに含まれるテキストを見ることができる。
【００２４】
変換サーバ２のアドレスはｃｏｎｖｅｒｔ．ｎｅｔ，ウェブ・サーバ４のアドレスはｗｗｗ．○○○．ｃｏｍとする。
【００２５】
まず，ディジタル・カメラ１から変換サーバ２に第１のｈｔｔｐリクエストが送信される（図２ステップ１１，ディジタル・カメラ１はウェブ・サーバ４ではなく変換サーバ２にアクセスするように設定されている。）。第１のｈｔｔｐリクエストの内容が図５に示されている。第１のｈｔｔｐリクエストには，ウェブ・ページの取得を示す指令（ＧＥＴ），取得すべきウェブ・ページのファイル名（ｍｅｍｂｅｒ．ｈｔｍｌ），ｈｔｔｐのバージョン（ＨＴＴＰ／１．１），取得すべきウェブ・ページのファイルが格納されているサーバのアドレス（ＨＯＳＴ：ｗｗｗ．○○○．ｃｏｍ）などが含まれている。
【００２６】
ディジタル・カメラ１から送信された第１のｈｔｔｐリクエストが変換サーバ２において受信されると，その受信されたｈｔｔｐリクエストは変換サーバ２からウェブ・サーバ４に送信される（図３ステップ２１）。
【００２７】
変換サーバ２から送信された第１のｈｔｔｐリクエストがウェブ・サーバ４において受信されると，その受信された第１のｈｔｔｐリクエストに応じて図９に示す第１のｈｔｔｐレスポンスが生成される。第１のｈｔｔｐレスポンスには，ヘッダとボディとが含まれている。ヘッダには，第１のｈｔｔｐレスポンスのバージョン（ＨＴＴＰ／１．１），ステータス・コード（２００  ＯＫ），ボディに含まれるコンテンツの種類（Ｃｏｎｔｅｎｔ−Ｔｙｐｅ：ｔｅｘｔ／ｈｔｍｌ）などが含まれている。ボディには，第１のｈｔｔｐリクエストによって要求されたｈｔｍｌファイル（ｗｗｗ．○○○．ｃｏｍ／ｍｅｍｂｅｒ．ｈｔｍｌ）が格納されている。このｈｔｍｌファイルの内容が図１０（Ａ）に示されている。また，このｈｔｍｌファイルによって表されるウェブ・ページが図１０（Ｂ）に示されている。
【００２８】
図１０（Ａ）において，第２行から第４行がｈｔｍｌファイルのヘッダであり，第５行から第２６行がｈｔｍｌファイルのボディである。
【００２９】
また，図１０（Ｂ）において，ウェブ・ページＷは，テキスト・データによって表される「メンバー紹介」のテキストＴ１の下にメンバー紹介テーブルが表示されている。メンバー紹介テーブルｔには，各行ごとにメンバーの名前，電子メール・アドレス，メンバーの画像などが含まれている。第１行には，「田中」というメンバーの名前がクリック可能なテキスト領域Ｃ１によって表されている。また，第１行には，テキスト・データによって表される電子メール・アドレスＴ２および画像ファイルによって表される画像Ｉ１も含まれている。同様に，第２行には，クリック可能なテキスト領域Ｃ２，テキスト・データによって表される電子メール・アドレスＴ２および画像ファイルによって表される画像Ｉ２が含まれており，第３行には，クリック可能なテキスト領域Ｃ３およびテキスト・データによって表される電子メール・アドレスＴ３が含まれている。さらに，メンバー紹介テーブルｔの下にはクリック可能なテキスト領域Ｃ４が形成されている。
【００３０】
図１０（Ａ）を参照して，第６行のタグによって図１０（Ｂ）のウェブ・ページＷの「メンバー紹介」のテキストＴ１が表示される。また，第９行のタグ，第１４行のタグ，第１９行のタグおよび第２４行のタグによってウェブ・ページＷのクリック可能なテキスト領域Ｃ１，Ｃ２，Ｃ３およびＣ４が形成される。第１０行，第１５行および第２０行のタグによってテキストＴ２，Ｔ３およびＴ３が表示される。さらに，第１１行および第１６行のタグによって画像Ｉ１およびＩ２が表示される。図１０（Ａ）に示すｈｔｍｌファイルによって図１０（Ｂ）に示すウェブ・ページが表示されることが理解されよう。
【００３１】
図４を参照して，ウェブ・サーバ４において生成された第１のｈｔｔｐレスポンスがウェブ・サーバ４から変換サーバ２に送信される（ステップ３１）。
【００３２】
ウェブ・サーバ４から送信された第１のｈｔｔｐレスポンスが変換サーバ２において受信されると，変換サーバ２において，その第１のｈｔｔｐレスポンスの内容が解析される（図３ステップ２２）。解析の結果，ウェブ・ページＷを生成するのに必要なファイル等（素材データ）が変換サーバ２からウェブ・サーバ４に要求される。この実施例においては，ウェブ・ページＷの画像Ｉ１およびＩ２を表示するために，変換サーバ２からウェブ・サーバ４に，図６に示す第２のｈｔｔｐリクエストおよび図７に示す第３のｈｔｔｐリクエストが送信される（図３ステップ２３，２４）。図６に示す第２のｈｔｔｐリクエストの取得ファイル名に画像Ｉ１のファイル（ｔａｎａｋａ．ｊｐｇ）名が格納されており，図７に示す第４のｈｔｔｐリクエストの取得ファイル名に画像Ｉ２のファイル名（ｓｕｚｕｋｉ．ｊｐｇ）が格納されていることにより，第１のｈｔｔｐリクエストおよび第２のｈｔｔｐリクエストが変換サーバ２からウェブ・サーバ４に送信されることにより，画像Ｉ１のファイルおよび画像Ｉ２のファイル（素材データ）の送信要求がウェブ・サーバ４に行われることとなる。
【００３３】
変換サーバ２から送信された第２のｈｔｔｐリクエストおよび第３のｈｔｔｐリクエストがウェブ・サーバ４において受信されると，それらの第１のｈｔｔｐリクエストおよび第２のｈｔｔｐリクエストに応答して，図１１に示す第２のｈｔｔｐレスポンスおよび図１３に示す第３のｈｔｔｐレスポンスが生成される。生成されたこれらの第２のｈｔｔｐレスポンスおよび第３のｈｔｔｐレスポンスはウェブ・サーバ４から変換サーバ２に送信される（図４ステップ３２，３３）。
【００３４】
図１１を参照して，第２のｈｔｔｐレスポンスのボディには第２のｈｔｔｐリクエストによって要求された画像ファイル（ｔａｎａｋａ．ｊｐｇ）が格納されている。第２のｈｔｔｐレスポンスのボディに含まれる画像ファイルによって，図１２に示される画像Ｉ１が表されることとなる。
【００３５】
同様に，図１３を参照して，第３のｈｔｔｐレスポンスのボディには第３のｈｔｔｐリクエストによって要求された画像ファイル（ｓｕｚｕｋｉ．ｊｐｇ）が格納されている。第３のｈｔｔｐレスポンスのボディに含まれる画像ファイルによって，図１４に示される画像Ｉ２が表されることとなる。
【００３６】
図３に戻って，ウェブ・ページの生成に必要な画像ファイル等がすべて得られるとウェブ・ページのレイアウト処理が行われ，図１６に示すレイアウト情報および図１８に示すレイアウト画像（ウェブ・ページ画像）がそれぞれ生成される（ステップ２５）。このレイアウト処理について詳しくは後述する。すると，変換サーバ２からディジタル・カメラ１に，図１５に示す第４のｈｔｔｐレスポンスが送信される（ステップ２６）。
【００３７】
図１８に示すレイアウト画像５０は，図１０に示すウェブ・ページＷとほぼ同じものであるが，図１８に示すレイアウト画像５０は一駒の画像であり，レイアウト画像５０に含まれているテキストもすべて画像化されているものである。レイアウト画像５０には，「メンバー紹介」のテキスト６１ならびに電子メール・アドレスのテキスト６２，６３および６４が含まれているが，これらのテキストはテキスト・データによって表されるものではなく，画像として表されているものである。また，クリック可能なテキストを示す領域５２，５３，５４および５５もレイアウト画像５０に含まれているが，これらはクリッカブル・マップを構成する１枚の単なる画像でありレイアウト画像５０上において個々のテキスト領域に対してクリック可能にリンクが貼られているものではないのはいうまでもない。また，レイアウト画像５０にも画像Ｉ１およびＩ２に対応する画像７１および７２も含まれている。
【００３８】
第４のｈｔｔｐレスポンスには，そのボディに図１６に示すレイアウト情報ファイルが格納されている。
【００３９】
レイアウト情報ファイルの第６行から第８行によってレイアウト画像のベース画像が規定されている。同様に，第９行，第１０行，第１１行および第１２行によって，領域５２，５３，５４および５５がクリック可能な領域であることが表されている。
【００４０】
変換サーバ２から送信された第４のｈｔｔｐレスポンスがディジタル・カメラ１において受信されると，その第４のｈｔｔｐレスポンスの内容がディジタル・カメラ１において解析される（図２ステップ１２）。すると，ディジタル・カメラ１から変換サーバ２に，図８に示す第４のｈｔｔｐリクエストが送信される（図２ステップ１３）。第４のｈｔｔｐリクエストには，その変換サーバ２において生成されたレイアウト画像の取得要求が含まれている（ｗｗｗ．○○○．ｃｏｍ／ｍｅｍｂｅｒ．ｈｔｍｌ／ｍｅｍｂｅｒ．ｊｐｇ）。第４のｈｔｔｐリクエストが変換サーバ２において受信されることにより，変換サーバ２において生成された一駒のレイアウト画像を表す画像ファイルがボディに含まれた第５のｈｔｔｐレスポンス（図１７参照）が，変換サーバ２からディジタル・カメラ１に送信される（図３ステップ１７）。
【００４１】
変換サーバ２から送信された第５のｈｔｔｐレスポンスがディジタル・カメラ１において受信されると，その第５のｈｔｔｐレスポンスのボディに含まれる画像ファイルによって表されるレイアウト画像（図１８参照）がディジタル・カメラ１の表示画面上に表示される（図２ステップ１４）。ディジタル・カメラ１に，テキスト・データによって表されるテキストを表示できない場合でもテキストを表示できるようになる。また，テキスト・データによって表されるテキストをそのフォント通りに表示できない場合であっても，そのフォント通りにテキストを表示できるようになる。
【００４２】
ディジタル・カメラ１には，レイアウト情報ファイルが与えられているから，領域５２，５３，５４または５５上がクリックされた場合には，それらの領域がクリックされたことが分かる。領域５２，５３，５４または５５がクリックされたことを示すデータが変換サーバ２に送信されるようにすることにより，クリックに応じて新たなウェブ・ページがディジタル・カメラ１の表示画面上に表示されるようになろう。
【００４３】
図１９（Ａ）から図２５（Ｃ）は，レイアウト処理（図３ステップ２５の処理）を示している。
【００４４】
図１９（Ａ）は，ウェブ・サーバ４から送信されたｈｔｍｌファイル（図１０）のうち，第１行から第４行の部分Ｐ１１を示している。この第１行から第４行の部分Ｐ１１を用いて図１９（Ｂ）に示すレイアウト画像のベース画像および図１９（Ｃ）に示すレイアウト情報の一部Ｐ２１が生成される。
【００４５】
図１９（Ｂ）に示すベース画像は，幅３２０画素，高さ２４０画素をもつもので，その大きさ（必要であれば色，明るさなどを含む）は，あらかじめ定められている。図１９（Ｃ）に示すレイアウト情報の一部Ｐ２１のうち，第１行から第５行はｈｔｍｌファイルの一部の部分Ｐ１１に対応している。レイアウト情報の一部Ｐ２１の第６行から第８行は，幅３２０画素，高さ２４０画素の”ｈｔｔｐ：／／ｃｏｎｖｅｒｔ．ｎｅｔ／ｗｗｗ．○○○．ｃｏｍ／ｍｅｍｂｅｒ．ｈｔｍｌ／ｍｅｍｂｅｒ．ｊｐｇ”という画像をｍｅｍｂｅｒ  ｍａｐという名前で使用することを示している。
【００４６】
ｈｔｍｌファイルのうち，第１行から第４行の部分Ｐ１１が変換サーバ２に読み取られることにより，あらかじめ定められている図１９（Ｂ）に示すレイアウト画像の一部および図１９（Ｃ）に示すレイアウト情報の一部Ｐ２１が生成される。
【００４７】
図２０（Ａ）は，ウェブ・サーバ４から送信されたｈｔｍｌファイルのうち，第６行の部分Ｐ１２を示している。この第６行の部分Ｐ１２を用いて，図２０（Ｂ）に示すように，「メンバー紹介」のテキスト６１が画像化されたレイアウト画像が生成される。
【００４８】
図２１（Ａ）は，ウェブ・サーバ４から送信されたｈｔｍｌファイルのうち，第７行の部分Ｐ１３を示している。この第７行の部分Ｐ１３を用いて，図２１（Ｂ）に示すように，テーブルを表す画像がレイアウト画像に生成される。
【００４９】
図２２（Ａ）は，ウェブ・サーバ４から送信されたｈｔｍｌファイルのうち，第８行および第９行の部分Ｐ１４を示している。この第８行の部分Ｐ１４を用いて，図２２（Ｂ）に示すように，テーブルの第１行の最初の枠の領域５２に画像化されたテキスト（田中という名前）が表示されるレイアウト画像が生成される。ｈｔｍｌファイルの第８行は，「田中」がクリック可能な領域であることを示していることから，図２２（Ｃ）の第８．１行に示すように，図２２（Ｂ）のレイアウト画像の中の領域５２がクリック可能な領域に対応する領域であることがレイアウト情報に加入される。第８．１行は，座標（８，６４）および座標（２４，７２）を通る矩形の領域５２がクリック可能な領域であることを示している。
【００５０】
図２３（Ａ）は，ウェブ・サーバ４から送信されたｈｔｍｌファイルのうち，第１０行の部分Ｐ１５を示している。この第１０行の部分Ｐ１５を用いて，図２３（Ｂ）に示すように，テーブルの第１行の二番目の枠の領域にテキスト６２が画像化されたレイアウト画像の一部が生成される。
【００５１】
図２４（Ａ）は，ウェブ・サーバ４から送信されたｈｔｍｌファイルのうち，第１１行の部分Ｐ１６を示している。この第１１行の部分Ｐ１６を用いて，図２４（Ｂ）に示すように，テーブルの第１行の三番目の枠の領域に画像７１が貼り付けられたレイアウト画像の一部が生成される。
【００５２】
図２５（Ａ）は，ウェブ・サーバ４から送信されたｈｔｍｌファイルのうち，第１２行から第１４行の部分Ｐ１７を示している。部分Ｐ１７のうちの第１４行を用いて，図２５（Ｂ）に示すように，テーブルの第２行の最初の枠の領域に画像化されたテキスト（鈴木という名前）が表示されるレイアウト画像が生成される。ｈｔｍｌファイルの第１４行は，「鈴木」がクリック可能な領域であることを示していることから，図２５（Ｃ）の第８．２行に示すように，図２５（Ｂ）のレイアウト画像の中の領域５３がクリック可能な領域であることがレイアウト情報に加入される。第８．２行は，座標（８，１１）および座標（２４，１２０）を通る矩形の領域５３がクリック可能な領域であることを示している。
【００５３】
以下同様にして，テキスト・データによって表されるテキストが画像化されているウェブ・ページを表すレイアウト画像およびそのレイアウト画像の意味（クリック可能な領域の位置などの意味）を表すレイアウト情報が生成される。
【００５４】
上述の実施例においては，ディジタル・カメラ１が変換サーバ２にアクセスしているが，ディジタル・カメラに限らず，テキスト・データによって表されるテキストの表示が困難な他の装置にも適用できる。
【００５５】
また，上述の実施例においては，ディジタル・カメラ１は，変換サーバ２を介してウェブ・サーバ４からウェブ・ページを表示するためのファイルを実質的に得ることとなるが，テキスト・データによって表されるテキストを表示できるコンピュータ装置等であれば，変換サーバ２にアクセスすることなく，直接ウェブ・サーバ４にアクセスすることとなろう。その場合には，上述したように，テキスト・データによって表されるテキストの画像化処理は不要となろう。
【００５６】
さらに上述の実施例においては変換サーバ２とウェブ・サーバ４とが別々のサーバであるが，変換サーバ２とウェブ・サーバ４とを共通にした画像サーバを構成してもよい。
【図面の簡単な説明】
【図１】ウェブ・ページ変換システムの概要を示している。
【図２】ディジタル・カメラの処理手順を示すフローチャートである。
【図３】変換サーバの処理手順を示すフローチャートである。
【図４】ウェブ・サーバの処理手順を示すフローチャートである。
【図５】ｈｔｔｐリクエストの一例である。
【図６】ｈｔｔｐリクエストの一例である。
【図７】ｈｔｔｐリクエストの一例である。
【図８】ｈｔｔｐリクエストの一例である。
【図９】ｈｔｔｐレスポンスの一例である。
【図１０】（Ａ）はｈｔｍｌファイルの内容の一例を示し，（Ｂ）はｈｔｍｌファイルによって表されるウェブ・ページの一例である。
【図１１】ｈｔｔｐレスポンスの一例である。
【図１２】ウェブ・ページに含まれる画像の一例である。
【図１３】ｈｔｔｐレスポンスの一例である。
【図１４】ウェブ・ページに含まれる画像の一例である。
【図１５】ｈｔｔｐレスポンスの一例である。
【図１６】レイアウト情報の一例である。
【図１７】ｈｔｔｐレスポンスの一例である。
【図１８】テキスト・データによって表されるテキストが画像化されたウェブ・ページの一例である。
【図１９】（Ａ）はｈｔｍｌファイルの一部の内容を示し，（Ｂ）はレイアウト画像の一部を示し，（Ｃ）はレイアウト情報の一部を示している。
【図２０】（Ａ）はｈｔｍｌファイルの一部の内容を示し，（Ｂ）はレイアウト画像の一部を示している。
【図２１】（Ａ）はｈｔｍｌファイルの一部の内容を示し，（Ｂ）はレイアウト画像の一部を示している。
【図２２】（Ａ）はｈｔｍｌファイルの一部の内容を示し，（Ｂ）はレイアウト画像の一部を示し，（Ｃ）はレイアウト情報の一部を示している。
【図２３】（Ａ）はｈｔｍｌファイルの一部の内容を示し，（Ｂ）はレイアウト画像の一部を示している。
【図２４】（Ａ）はｈｔｍｌファイルの一部の内容を示し，（Ｂ）はレイアウト画像の一部を示している。
【図２５】（Ａ）はｈｔｍｌファイルの一部の内容を示し，（Ｂ）はレイアウト画像の一部を示し，（Ｃ）はレイアウト情報の一部を示している。
【符号の説明】
１  ディジタル・カメラ（画像表示制御装置）
２  変換サーバ（画像サーバ）
３，５  ＣＤ−ＲＯＭ
４  ウェブ・サーバ（画像サーバ）
５２，５３，５４，５５  画像化されたクリック可能なテキスト（領域）
６１，６２，６３，６４  画像化されたテキスト
【図１】
2004362363.tif 000003
【図２】
2004362363.tif 000004
【図３】
2004362363.tif 000005
【図４】
2004362363.tif 000006
【図５】
2004362363.tif 000007
【図６】
2004362363.tif 000008
【図７】
2004362363.tif 000009
【図８】
2004362363.tif 000010
【図９】
2004362363.tif 000011
【図１０】
2004362363.tif 000012
【図１１】
2004362363.tif 000013
【図１２】
2004362363.tif 000014
【図１３】
2004362363.tif 000015
【図１４】
2004362363.tif 000016
【図１５】
2004362363.tif 000017
【図１６】
2004362363.tif 000018
【図１７】
2004362363.tif 000019
【図１８】
2004362363.tif 000020
【図１９】
2004362363.tif 000021
【図２０】
2004362363.tif 000022
【図２１】
2004362363.tif 000023
【図２２】
2004362363.tif 000024
【図２３】
2004362363.tif 000025
【図２４】
2004362363.tif 000026
【図２５】
2004362363.tif 000027